(57)【特許請求の範囲】
【請求項１】
たて枠と横枠とからなる取付枠と、その取付枠の中に左右方向に配置される面格子本体とを備える建物用面格子において、上記面格子本体は、ヒンジを介して他方の面格子本体の側に１８０度回転可能に形成されており、かつ面格子本体は、横桟、たて桟、たて桟間に回転軸を介して開閉可能にとりつけられているルーバ羽で形成されており、上記ルーバ羽は合成樹脂製、アルミ製の軽量材からなり、中間に骨を入れた中空型材であり、前記それぞれの回転軸の一方には回転カムが一体的に成形されており、さらにその回転カムの係合部は、たて桟の長手方向に配設しているアームの係合孔に係合しており、所定の回転カムには回転ギアが連動してもうけられており、その回転ギアにはハンドルと連動するハンドルギアが噛合されており、ハンドルの回転操作によってハンドルギア、回転ギア、回転カムを回転せしめ、同時にアームを上下方向に移動し、ア−ムに係合している回転カムが回転してルーバ羽が連動して回転することを特徴とする建物用面格子。
【請求項２】
ハンドルは周囲を凹部と凸部の凸凹状に形成してあり、その凹部にストッパが嵌まって回転を阻止するロック機構を備えていることを特徴とする請求項１記載の建物用面格子。
【発明の詳細な説明】
【０００１】
【発明の属する技術分野】
本発明はとくに緊急避難時の脱出に好適な建物用面格子の改良に関し、マンションのベランダや廊下、住宅のベランダ、建物の目隠し部分等にも適用できる。
【０００２】
【発明が解決しようとする課題】
従来この種面格子の開閉構造は引戸式と観音開き式である。前者は左右の面格子本体を面一にするためのレール構造がコストアップとなっていた。
後者は面格子の両側に位置している建物の外壁が、面格子よりも外側に突出しているために、面格子本体は、一杯に開けてもその開角度が９０〜１３０度位であり、それゆえに先端側がベランダや廊下の通路にまで突出して緊急避難時の通路を妨害していた。しかも面格子本体の閉状態において中央で施錠するという施錠構造にも問題点があった。
【０００３】
【課題を解決するための手段】
本発明つぎの特徴を備えている。
その一つは「たて枠と横枠とからなる取付枠と、その取付枠の中に左右方向に配置される面格子本体とを備える建物用面格子において、上記面格子本体は、ヒンジを介して他方の面格子本体の側に１８０度回転可能に形成されており、かつ面格子本体は、横桟、たて桟、たて桟間に回転軸を介して開閉可能にとりつけられているルーバ羽で形成されており、上記ルーバ羽は合成樹脂製、アルミ製の軽量材からなり、中間に骨を入れた中空型材であり、前記それぞれの回転軸の一方には回転カムが一体的に成型されており、さらにその回転カムの係合部は、たて桟の長手方向に配設しているアームの係合孔に係合しており、所定の回転カムには回転ギアが連動してもうけられており、その回転ギアにはハンドルと連動するハンドルギアが噛合されており、ハンドルの回転操作によってハンドルギア、回転ギア、回転カムを回転せしめ、同時にアームを上下方向に移動し、ア−ムに係合している回転カムが回転してルーバ羽が連動して回転することを特徴とする建物用面格子」である。
その二つは「上記の面格子において、ハンドルは周囲を凹部と凸部の凹凸状に形成してあり、その凹部にストッパが嵌まって回転を阻止するロック機構を備えていることを特徴とする建物用面格子」である。
【０００４】
【実施例】
本発明の実施形態を含めて図面を用いて以下に説明する。
図１において１はベランタ等前記した箇所に使用できる本発明の建物用面格子である。該面格子は左右のたて枠２と、上下の横枠３とから取付枠を構成しており、上下横枠の中間に中枠４が固定して取付けられている。５は面格子本体であり、上記中枠を介在して左右方向に配置されている。
面格子本体５はルーバ構造であり、横桟６、たて桟７、開口の大きさが調整できるようにして開閉できる多数枚のルーバ羽８で形成されている。
【０００５】
９はヒンジであり、左右に配置している面格子本体５それぞれの内側で、しかも中枠との間に位置せしめて、上下端部近傍にとりつけている。それゆえに面格子本体５はヒンジ９を介して他方の面格子本体の側に好ましくは１８０度回転可能に設けられている。言わば中枠にヒンジの一方の取付部をとりつけ、他方の取付部を回転可能の面格子本体にとりつけ、一方の面格子本体が他方の面格子本体の前側に回転して位置する構造である。１０は左右の桟にとりつけているルーバ羽を開閉操作するためのハンドルで、これの操作によってルーバ羽８が適宜開口の大きさを替えて開閉される。
【０００６】
１１はパイプ型の操作部１１ａを有する施錠具であり、操作部を回動すると施錠部が面格子本体の被施錠部と施錠状態、または解錠状態となる。施錠機構は細部を除いて公知であり、図示のように操作部がたて枠起立状態で収まっている際には解錠状態であり、操作部を把手して回動し、操作部がほぼ９０度倒れて臥せた状態では施錠状態である。よって通常は面格子本体の閉状態では施錠状態とし、緊急避難時には操作部を操作して解錠状態として面格子本体を回転して開ける。
【０００７】
図２は図１の要部を拡大した説明図である。左右の面格子本体５のそれぞれの内側には中枠４がとりつけられており、ヒンジ９が、一方の取付部９ａが面格子本体に、他方の取付部９ａが中枠に適宜止具にて固定されている。しかして一方の面格子本体５は他方の面格子本体の側に１８０度回転した状態（点線で示す面格子本体５）に回転移動している。面格子本体の回転が１８０度回転できるように保持するためにはそれに付着しているヒンジの取付部が当然に１８０度回転しなければならず、その回転を阻止する障壁があってはならない。その１つとして図示のごとくヒンジの回転軸を中枠やその他の障壁物より前方に突出せしめている。
【０００８】
図３、図４、図５においてたて桟７、７間にルーバ羽８が回転軸１２を介して回転可能に、つまり開閉可能に取り付けられている。ルーバ羽８は合成樹脂製、アルミ製等の軽量材からなる中空型材であり、略偏平状にして中間に２本の骨を入れて、３つの空間を形成している。その中間部の中空部８ａには両側から回転軸１２の一端側が挿入されている。回転軸の他端側はたて桟に回転自在に取り付けられている。
【０００９】
回転軸１２は、合成樹脂等からなる一体成型体であり、該回転軸はこの実施例ではハンドルがつかないたて桟に軸支しているものと、ハンドルがつくたて桟に軸支しているものとは形状、構造を異にしている。前者の回転軸１２はルーバ羽の中間部の中空部に一端側の板状部１２ａが挿入されており、他端側の軸部１２ｂが回転軸となってたて桟の軸孔に挿入されており、かつ受けフランジ１２ｃがルーバ羽とたて桟の間に介入した形で保持している。よって回転軸は挿入のみで保持されている。
つぎにハンドルがとりついている縦桟に軸支している回転軸１２は一端側に前記の物と同様に、ルーバ羽の中間部の中空部に挿入される板状部１２ａがあり、中間に回転軸部１２ｂと一体の回転カム１２ｄがあり、他端側に２個の突起状の係合部１２ｅ、１２ｆがあり、これらが一体成型されている。しかして図示のとおりルーバ羽の中空部には回転軸の板状部１２ａが縦桟の軸孔を介して挿入されており、かつ縦桟の軸孔に軸部１２ｂが、外側には回転カムの一面側が当てつけられるような状態で回転軸が取り付けられている。
【００１０】
しかして回転軸の延長線上に設けた係合部１２ｅには扇形の回転ギア１３の軸孔１３ａが挿入されて一体的に固定されており、回転カムの先端側に設けている係合部１２ｆは回転ギアの係合孔１３ｂに一体的に係合されている。７ａはたて桟の一部を構成する外蓋である。この蓋に回転カムの係合部１２ｅが近接状態に位置するように設計しているので、回転軸は何らの止め具をもちいることなく、外蓋が当て部となりルーバ羽から脱出することがなく保持される。勿論他の手段で回転軸のルーバ羽からの脱出を阻止する構造とすることができるが、上記実施例のものであればルーバ羽の両側の中空部に挿入される回転軸が脱出することがない。
【００１１】
操作用のハンドル１０は周囲を凸部１０ａ、凹部１０ｂの凹凸状に形成してあり、この凸部に目盛りを付して操作ダイヤルと称してもよい。このハンドルの軸部１０ｄの周囲には小径のハンドルギア１０ｃを一体に形成している。このハンドルギア１０ｃが回転ギア１３と噛合して、回転ギア１３を回転せしめ、それと連動して回転カムを通して回転軸が回転し、ルーバ羽を回転せしめる。ハンドルの回転方向に追従して回転ギアを通してルーバ羽が回転することによってルーバ羽が開の状態、閉の状態を保つ。よってハンドルの回転角度によってルーバ羽が開閉する開口の大きさが変化することが理解できる。
【００１２】
１４はアームであり、たて桟の長手方向に配設している。該アームに係合孔が長手方向に沿って所定数形成してあり、この係合孔にルーバ羽のそれぞれと連動している回転軸１２の回転カム１２ｄの係合部１２ｆを係合している。それゆえにハンドル１０の回転操作によってハンドルギア１０ｃから回転ギア１３を回転せしめ次いでそれと連動する回転カム１２ｄを回転せしめ、同時に係合部１２ｆを介してアームが上下方向に移動する。それと同時にアームの係合孔に係合しているその他の回転カムが回転するので、ルーバ羽が連動して回転する。図３で点線で示しているルーバ羽および回転カムはアームの移動によって回転カムおよびルーバ羽を回転している状態を示す。
【００１３】
図６、図７は主にケース１５中にある操作用ハンドル１０のロック機構を説明するための図面である。ケース１５にはハンドル１０、ハンドルギア１０ｃ、回転ギア１３の一部、ロックボタン１６、ストッパ１７、スプリング１８などが収められている。ロックする場合にはロックボタン１６を上方に押上げると、ストッパ１７がスプリング１８に付勢された状態でハンドル１０の凹部１０ｂに嵌まってハンドルの回転を阻止する。それゆえにその状態ではルーバ羽が開閉せず所定の開口を保持している。
【００１４】
ロックを外す場合にはロックボタンを下げる方向に押し下げると、ロックボタンの突起部１６ｃがストッパ１７を押動し、ストッパ１７がスプリング１８に抗して押し下げられて凹部１０ｂから外れてハンドルの回転が可能となる。ロックボタン１６は板状体の両端の上下端に鉤型の押動部１６ａ、１６ｂを形成しており、上下方向にスライドできる構造としている。またケース１５とは互いに凹凸係合できるように長手方向の所定箇所に係合部１５ａ、１６ｄを形成している。これによってロックボタンの予期せぬ移動を阻止しているが、必ずしも必要でない。１９はケースの蓋である。
【００１５】
図８、図９は別の実施例である。この発明はヒンジ９が、その取付部９ａ、９ｂが左右に配置している面格子本体５と止具等にて取り付けている。図９の点線で示している面格子本体５は右側の面格子本体を１８０度回転した状態である。この場合左側の面格子本体５は適宜手段で固定しているので片開きである。どちらを固定してもよい。またヒンジの軸部を上枠および下枠に適宜固定してヒンジの左右一対の取付部が回転できれば、左右の面格子本体はそれぞれが回転できることは十分に理解できる。上記実施例と異なるのは中枠が介在していない点である。なお１１は施錠具である。これと対面しているたて枠２に被施錠部が形成されている。これらは公知の施錠機構である。
以上本発明の実施例について説明しているが、本発明の技術思想を逸脱しない限りの設計変更ができることは言うまでもない。
【作用、効果】
【００１６】
本発明は次の作用、効果を奏する。
従来公知のこの種面格子はいろいろな構造のものがあるが、その構造は方形枠体の中に収まっている面格子本体は引戸式のもの、観音開き式のものがある。前者は左右の面格子本体を面一にするためのレール構造がコストアップとなっていた。また開口面積にも問題点があった。
後者はヒンジが建物側の端部に設けていることからして、面格子本体の回転角度が１８０度近くまで回転できず、しかも面格子本体の閉状態において中央で施錠するという施錠構造にも問題点があった。
本発明の面格子は上記問題点を一挙に解決しており実用価値大である。なお面格子本体を本発明のルーバ構造の採用により以下の作用効果がある。
（１）ルーバ羽が中空型材であり、軽量な材質からなっているので軽量であり、中間部の仕切り骨によって補強されている。
（２）回転軸のルーバ羽との止具による固定を省略しており、部材の削減により組立性がよく、コスト低下を図っている。
（３）回転軸と回転カムが一体成型されているので、組立性、コスト削減、作動の一体性に寄与している。
（４）回転カムに回転ギアが連動し、ハンドルギアが回転ギアに連動する構成によって、ハンドルの回転操作によって大人、小人を問わず簡単に、確実に開閉操作ができる。
（５）ハンドルの回転を阻止するロック機構を備えているので強風、振動等によってルーバ羽の回転がなくなり、常に所定の設定角度の開閉度合を保持している。
【図面の簡単な説明】
【図１】本発明の建物用面格子の一実施例を示す要部正面図。
【図２】図１の要部を拡大した平面状態から矢視の説明図。
【図３】図１のルーバの回転機構を縦断面側からみた概略図。
【図４】図１のルーバの回転機構を横断面側からみた概略図。
【図５】図１のルーバの開閉機構に係る部材の分解斜視図。
【図６】図５に示す各部材の組み立て状態を示す説明図。
【図７】ハンドルのロック機構を示す略斜視図。
【図８】本発明の面格子の他の実施例をしめす要部正面図。
【図９】図８の要部を拡大した平面状態から矢視の説明図。
【符号の説明】
１    建物用面格子          ２    たて枠
３    横枠                  ４    中枠
５    面格子本体            ６    横桟
７    たて桟                ８    ルーバ羽
９    ヒンジ                ９ａ  取付部
９ｂ  取付部                １０  ハンドル
１１  施錠具                １２  回転軸
１３  回転ギア              １４  アーム
１５  ケース
【図１】
0004437242.tif 000002
【図２】
0004437242.tif 000003
【図３】
0004437242.tif 000004
【図４】
0004437242.tif 000005
【図５】
0004437242.tif 000006
【図６】
0004437242.tif 000007
【図７】
0004437242.tif 000008
【図８】
0004437242.tif 000009
【図９】
0004437242.tif 000010